(57)【要約】      （修正有）【課題】ズボンなどの裾を折り返した折り返し部に正確に位置合わせできるとともに、裾上げテープの圧着部を誤って表裏を逆に圧着する事態を防止する裾上げテープを提供する。【解決手段】裾上げテープ１の生地の色とは異なる色で、裾上げテープ１の幅の中央位置を表示する中央ラインＳ１が設けられている。裾上げテープ１の一方側の表面１ｂに圧着部が設けられ、中央ラインＳ１が圧着部とは反対側の面にのみ設けられている。【選択図】図２
0003172863.tif 000002
【実用新案登録請求の範囲】
【請求項１】
ズボン、スラックスやスカートなどの裾の長さを調節するために、生地に加熱圧着のための糸が織り込まれて所定の圧着部が設けられた裾上げテープにおいて、
裾上げテープの生地の色とは異なる色で、裾上げテープの幅の中央位置を表示する中央ラインが設けられていることを特徴とする裾上げテープ。
【請求項２】
裾上げテープの一方側の表面に圧着部が設けられ、前記中央ラインが前記圧着部とは反対側の面にのみ設けられていることを特徴とする請求項１記載の裾上げテープ。
【請求項３】
前記中央ラインが直線状であり、これに垂直に交わる垂直ラインが所定間隔で施されていることを特徴とする請求項１又は２記載の裾上げテープ。
【請求項４】
前記中央ラインが波型又はジグザク型の所定幅が生じるように構成されていることを特徴とする請求項１または２記載の裾上げテープ。
【請求項５】
前記中央ラインの糸が裾上げテープの生地で織り込まれていることを特徴とする請求項１から４のいずれか１項記載の裾上げテープ。
【考案の詳細な説明】
【技術分野】
【０００１】
本考案は、ズボン、スラックスやスカートなどの裾の長さを調節するために、熱圧着するための熱融着糸が織り込まれて圧着部が設けられた裾上げテープに関する。
【背景技術】
【０００２】
従来、ズボン、スラックスやスカート等の裾上げは、折返しの端をほつれ止めのミシンをかけてまつり縫いをすることが行われていたが、このような裾上げ作業を簡単に行なうために、アイロンなどで加熱して圧着することで裾上げができるものが実用化されている。
このような裾上げテープとしては、その生地に加熱圧着のための糸が織り込まれて所定の圧着部が設けられている。そして、ズボンなどの裾を内側に折り返して長さを決め、裏返してその折り返し部の端末部分上に該端末部が裾上げテープの幅のほぼ中央部に位置するようテープを当て、その上からアイロンなどで押えることで、裾上げテープをズボンなどの裾を熱圧着する。このような裾上げテープとしては、前記接着面が片側の面にのみ設けられているものが主流であるが（特許文献１）、両面に設けられているものもある（特許文献２）。
【先行技術文献】
【特許文献】
【０００３】
【特許文献１】特開平８−２８４０５４号公報
【特許文献２】実用新案登録第３１２３８１６号公報
【考案の開示】
【考案が解決しようとする課題】
【０００４】
しかしながら、従来の裾上げテープでは、傾かないように正確に位置合わせして熱圧着させることが難しいという問題を有していた。すなわち、スラックスやスカート等の裾をそのまま内側に折り返して、その下方端縁に沿って裾上げテープの中央を位置合わせすることが望まれるが、従来の裾上げテープでは、圧着部が所定幅で設けられているので、その幅内でしか調整することができなかった。この点、特許文献１では、圧着部を裾上げテープの一方側表面の左右端部に設けて、中央には、圧着部を設けないものであるが、その場合でも所定幅があることと、その位置が目立つような対応がなされていないので、中央ラインが認識し難いという問題を有していた。また、中央に圧着部が設けられていないと、その分厚さが薄くなり、裾上げテープの歪みや生地がつるような事態が生じてしまう問題も有する。
しかも、スラックスやスカート等の裾をそのまま内側に折り返して裾上げテープを当てる場合もあるが、所定長さにカットしてから裾上げテープを当てる場合には、斜めにカットされたような場合や、裾上げテープを斜めにカットしてしまったような事態には何ら対応されていなかった。
【０００５】
また、特許文献２のように両面に圧着部を有するものもあるが、裾上げテープの片面に圧着部とされるものが主流であるところ、表裏を間違えることで、裾上げの圧着部ができず、アイロンに裾上げテープを圧着させてしまう事態も生じさせていた。
【０００６】
そこで本考案の目的は、ズボンなどの裾を折り返した折り返し部に正確に位置合わせできるとともに、裾上げテープの圧着部を誤って表裏を逆にして圧着する事態を防止することがきる裾上げテープを提供することにある。
【課題を解決するための手段】
【０００７】
本考案は、ズボン、スラックスやスカートなどの裾の長さを調節するために、生地に加熱圧着のための糸が織り込まれた圧着部が設けられた裾上げテープにおいて、裾上げテープの生地の糸の色とは異なる色で、裾上げテープの幅の中央位置を表示する中央ラインが設けられていることを特徴とする。裾上げテープの生地の糸の色と異なる色とは、裾上げテープの生地の糸の色が青や黒である場合は、赤色や白色が好ましい。
本考案によれば、ズボンやスラックスなどの裾を折り返した裾の端縁（折り返し部）に、裾上げテープの中央ラインを合わせてから、アイロンなどで熱圧着する。中央ラインは、赤色などの目立つ色であるので、正確な位置に位置合わせでき、正確な位置合わせによる熱圧着ができるようになる。
【０００８】
本考案としては、裾上げテープの一方側の面に圧着部が設けられ、前記中央ラインが前記圧着部とは反対側の面にのみ設けられていることが好ましい。
本考案によれば、前記中央ラインが前記圧着部とは反対側の面にのみ設けられているので、熱圧着の際に、表裏面を間違えて熱圧着するような事態を防止することができる。
【０００９】
本考案としては、前記中央ラインが直線状であり、これに垂直に交わる垂直ラインが所定間隔で施されていることが好ましい。
【００１０】
本考案によれば、裾上げテープ所定長さにカットするときや、熱圧着するときの位置きめの際においてズボンの内側縫い目や外周端に沿っているかを確認でき、正確な位置合わせができる。
【００１１】
本考案としては、前記中央ラインが波型又はジグザク型の所定幅が生じるように構成されていることが好ましい。また、前記中央ラインの糸が裾上げテープの生地で織り込まれていることが好ましい。
本考案によれば、中央ラインが波型又はジグザク型の所定幅が生じるので、アイロンなどによる熱圧着の目安す幅広くなるとともに、中央部分の補強になり、裾上げテープの歪みを防止することができる。また、熱圧着を解除する場合にも、これらの構成により、剥離が行いやすくなる。
【考案の効果】
【００１２】
本考案によれば、裾上げテープの幅の中央位置を表示する中央ラインが設けられているので、ズボンなどの裾を折り返した部分に正確に位置合わせができる。また、中央ラインが前記圧着部とは反対側の面にのみ設けられていることで、裾上げテープの圧着部の有する面にアイロンをかけてしまう誤った熱圧着をする事態を防止することができる。また、前記中央ラインの糸が裾上げテープの生地で織り込まれていることなどにより、中央部分の補強になり、裾上げテープの歪み防止に効果を発揮し、裾上げテープ自体も綺麗に仕上げられる。他方、剥離する事態が生じても、中央ラインが波型又はジグザク型の所定幅が生じるように構成されていることなどにより、所定幅で剥離し易くすることができる。
【図面の簡単な説明】
【００１３】
【図１】本考案の第１の実施の形態の裾上げテープの一方側の面を示す正面図である。
【図２】上記第１の実施の形態の裾上げテープの他方の面を示す背面図である。
【図３】本考案の第２の実施の形態の裾上げテープによりズボンの裾上げをする説明図である。
【図４】上記第１の実施の形態の裾上げテープによりズボンの裾上げの工程をする説明図である。
【図５】上記第２の実施の形態の裾上げテープによりズボンの裾上げの工程をする説明図である。
【考案を実施するための形態】
【００１４】
以下、本発明を適用した具体的な実施の形態について、図面を参照しながら詳細に説明する。
【００１５】
（第１の実施の形態）
本実施形態では、所定の細幅織物に熱融着糸を編込み、その一方側の面にのみ圧着部が設けられ、他方の面１ｂには圧着部３は設けられていない裾上げテープ１の中央位置を表示する中央ラインＳ１が設けられている。テープ基布はポリエステルを素材とする経糸と緯糸とからなる経編みテープである。中央ラインＳ１は、波型やジグザグ形状の所定幅が生じるように構成されている。すなわち、圧着部３が現れる面１ａと中央ラインＳ１が現れる面が異なっている。
本実施の形態では、裾上げテープ１の生地は青色であり、圧着部は白色（或いはグレー）であり、中央ラインＳ１は、赤色である。中央ラインＳ１は、圧着部３は設けられていない他方の面１ｂに施されて、圧着部３が表れる一方側の面１ａとは区別できるので、裾上げテープ１の表裏面を間違えるような事態を防止している。また、本実施の形態では、裾上げテープ１の左右側に圧着部３が設けられ、このため中央が薄くなっているが、この部分を補強するように中央ラインＳ１を施して、裾上げテープ１全体の歪みを防止している。中央ラインＳ１の糸は、裾上げテープ１の生地で織り込まれていることが好ましい。ここで、前記圧着部がある面とは反対の面（裏側）１ｂに、前記中央ラインＳ１と同じ位置にも裏側にも中央ラインＳ１を設けても良い。この裏側中央ラインＳ１としては、熱融着糸を用いて、中央ラインＳ１に沿ってアイロンＴをかけるときに中央で熱圧着させても良い。この場合は、左右側の圧着部３と中央ラインＳ１の三箇所で熱圧着ができる。
【００１６】
したがって、本実施の形態を使用してズボンの裾上げをする場合、図４に示すように、ズボン５の股下寸法を測り、余分を切断する（図４（ａ））。なお、ズボン５の長さによっては、そのまま余分な長さを切断してないでも良い場合もある。その後ズボン５を裏返し、折り返し部分を折り曲げて、軽く折り目を付ける。アイロンＴを所定の温度（通常１４０℃〜１６０℃）にセットする。そして、裾上げテープ１を必要な長さにカットする（図４（ｂ））。そして、裾上げテープ１を水に浸し軽くしぼる。
次に、裾上げテープ１の圧着部３である面１ａを下にしてズボン５の下方端縁５ａに沿って裾に当てる（図４（ｃ））。すなわち、裾上げテープ１の位置合わせをする。このとき、中央ラインＳ１が圧着部３とは反対側の面１ｂにのみ設けられているので、裾上げテープ１の表裏面を間違えないように位置合わせができる（図４（ｄ））。
【００１７】
次いで、アイロンＴにより熱圧着を行なう（図４（ｅ））。アイロンＴによる熱圧着は内股の中心５ｂからスタートする。なお、必ずこの位置からスタートする必要はないが、内股の中心からスタートすると仕上がりが綺麗になる。このとき、裾上げテープ１の生地が歪むおそれがあるので、テープ１は引っ張らないようにアイロンＴを押し当てる。接着するところが段になるため、アイロンを強く押し当てる。ここでは、アイロンＴの先端Ｔａを中央ラインＳ１に合わせるか、中央ラインｓ１と平行に当てることが好ましい。このように熱圧着すると、裾上げテープ１をズボン５の折り返し位置（裾上げ位置）に綺麗に貼着させることができる。
【００１８】
一方、裾上げテープ１の熱圧着を解除した場合が生じることある。子供の成長に合わせて長さを調節する場合や、他の使用目的に邪魔になる場合などである。このような熱圧着を解除する場合は、中央ラインＳ１を引き剥がすようにすると、生地として中央ラインＳ１が構成されているので、剥離し易くなる。中央ラインＳ１が波型やジグザク型の所定幅が生じるように構成されている場合は、より剥離がし易くなる。
【００１９】
（第２の本実施の形態）
本実施の形態、前記中央ラインＳ１が直線状であり、図３に示すように、これに垂直に交わる垂直ラインＳ２が所定間隔で施されている裾上げテープ１である。本実施の形態の垂直ラインＳ２は、５ｃｍごとに設けられている。この垂直ラインＳ２は、この裾上げテープ１１を所定長さに切断するときの目安や、裾上げテープ１１自体の歪み防止の役割と、ズボン５の内股縫目（ズボンの連結部分）５ｂがあるから、この内股縫目（ズボンの連結部分）５ｂや左右の外側縁５ｃに垂直ラインＳ２を合わせるなどすると、更に正確な熱圧着が行なわれる。
【００２０】
したがって、本実施の形態の裾上げテープ１１を使用して、ズボン５の裾上げをする場合は、図５に示すように、裾上げテープ１１を所定長さに切断するときは、垂直ラインＳ２上にカットしたり、垂直ラインＳ２と平行にカットすると、裾上げテープ１１を垂直に切断することができる（図５（ｂ））。
【００２１】
また、所定長さにカットした裾上げテープ１１をズボン５の内股縫目（ズボン５の連結部分）５ｂに垂直ラインＳ２を合わせるか平行になるようにしたり（アイロンＴの先端Ｔａ中央ラインＳ１１や垂直ラインＳ２に合わせる。）、ズボン５の左右の外側縁５ｃに垂直ラインＳ２を合わせるなどすると（図５（ｃ）（ｄ））、更に正確な熱圧着が行なわれる。
ここで、垂直ラインＳ２の箇所を先に仮止めしてから中央ラインＳ１１を左右側に伸ばしながら熱圧着することも可能である。最後に、垂直方向にもこの垂直ラインＳ２に合わせてアイロンＴを押し上げるようにすると、仕上がりが良好になる。
【００２２】
以上、ズボン５の裾上げを例に説明したが、本考案はスラックスやスカート等の裾上げにも使用できることはいうまでもない。また、裾上げテープ１，１１の一方表面に圧着部３があるもので説明したが、圧着部３の位置は問われるものではなく、又、必ずしも中央ラインＳ１や垂直ラインＳ２は、裾上げテープ１，１１を構成する糸ではなく、別の糸で設けることも可能である。
【符号の説明】
【００２３】
１，１１  裾上げテープ、１ａ  圧着部がある面、１ｂ  中央ラインのある面、３  圧着部（熱融着糸）、
４  折返し部分、
５  ズボン、５ａ  ズボンの下方端縁、５ｂ  ズボンの内側縫い目、
５ｃ  左右外側端縁、
Ｓ１，Ｓ１１  中央ライン、Ｓ２  垂直ライン、
Ｔ  アイロン、  Ｔａ  アイロンの先端
【図１】
0003172863.tif 000003
【図２】
0003172863.tif 000004
【図３】
0003172863.tif 000005
【図４】
0003172863.tif 000006
【図５】
0003172863.tif 000007